(57)【要約】【課題】  構造の複雑化、コストアップ要因となる器具本体と蓋体とからなる筐体にはないコンプレッションスプリング等の特別な部品を使用することなく蓋体をロックする。【解決手段】  器具本体５１０とこれに結合される蓋体５２０との間にあり、蓋体５２０の開放状態を維持し、器具本体５１０に設けられるガイド部材１１０と、蓋体５２０に設けられる支持部材１２０と、一端は支持部材１２０に回動可能に軸支され、他端はガイド部材１１０のガイド溝１１３内を摺動する摺動係合部１５０が設けられたアーム部材１３０とを備え、ガイド溝１１３は蓋体５２０が閉塞から開放状態へ至る間に摺動係合部１５０が摺動する摺動溝部１１３Ａと、これに連設され、蓋体５２０が開放状態になると嵌まり込むロック溝部１１３Ｂとを有し、アーム部材１３０は蓋体５２０が開放状態になる直前に器具本体５１０のパッキン５４０の弾性力で摺動係合部１５０がロック溝部１１３Ｂへと嵌まり込む。【選択図】      図３
2013232296.tif 000002
【特許請求の範囲】
【請求項１】
光源等が格納される器具本体とこの器具本体にヒンジ結合される蓋体との間に設けられ、蓋体の開放状態を維持する照明器具用蓋体ストッパーにおいて、
器具本体に設けられるガイド部材と、蓋体に設けられる支持部材と、一端は前記支持部材に回動可能に軸支され、他端は前記ガイド部材に形成されたガイド溝内を摺動する摺動係合部が設けられたアーム部材とを具備しており、
前記ガイド溝は、横軸が短い略Ｌ字形状に形成されており、前記蓋体が閉塞状態から開放状態へ至る間に摺動係合部が摺動する摺動溝部と、この摺動溝部から略直角方向に向かい、蓋体が開放状態になった際に嵌まり込むロック溝部とを有しており、
前記アーム部材は、蓋体が開放状態になる直前に器具本体に設けられたパッキンに接触し、このパッキンの弾性力によって摺動係合部が摺動溝部からロック溝部へと嵌まり込むことを特徴とする照明器具用蓋体ストッパー。
【請求項２】
前記ガイド部材は、器具本体に接触するベース部と、このベース部に連設された壁部とを有しており、前記ガイド溝は壁部に形成されていることを特徴とする請求項１記載の照明器具用蓋体ストッパー。
【請求項３】
前記ガイド溝のロック溝部に摺動係合部が嵌まり込んだ状態で、蓋体に対して閉じる方向に力を加えると、アーム部材が折れ曲がることを特徴とする請求項２記載の照明器具用蓋体ストッパー。
【発明の詳細な説明】
【技術分野】
【０００１】
本発明は、器具本体とそれを閉塞する蓋体とを有するトンネル照明器具用筐体で、蓋体を開放状態で維持する照明器具用蓋体ストッパーに関する。
【背景技術】
【０００２】
この種の照明器具用蓋体ストッパーとしては、特開２０００−３３７００１号公報に記載された『開閉体のストッパー装置』がある。この開閉体のストッパー装置は『被開閉体側へ取り付けられるガイドレールと、平面略弓形状を呈しその一端部側に設けたガイドピンを前記ガイドレールのガイド長孔に対して摺動可能に係合させ他端部を前記被開閉体に対して開閉される開閉体に軸着させたステーと、前記開閉体の開成時に前記ステーの一端部側に取り付けたガイドピンと係合すべく前記ガイド長孔に設けられた（係合）凹部と、前記開閉体の所定の開成角度以上で前記ステーの移動方向へ作用する緩衝手段とで構成』されている。
そして、同公報では、緩衝体の例として、コンプレッションスプリング、ダンパー装置、シリンダー装置をあげている。
【０００３】
この開閉体のストッパー装置では、開閉体（蓋体に相当する）を開状態で維持するために、ステー（アーム部材に相当する）を移動させてガイドピン（摺動係合部に相当する）を係合凹部（ロック溝部に該当する）に嵌め込むための緩衝手段としてコンプレッションスプリング、ダンパー装置或いはシリンダー装置を用いている。
そして、ガイドレールの先端には緩衝手段を構成する筒体を設け、その内部にコンプレッションスプリングを格納している。さらに、筒体の先端に割溝を設け、この割溝からステーが筒体の内部に入り込み、ステーをコンプレッションスプリングが当接すると、ガイドピンが係合凹部に係合するようになっている。
【０００４】
【特許文献１】特開２０００−３３７００１号公報
【発明の開示】
【発明が解決しようとする課題】
【０００５】
上述した開閉体のストッパー装置では、コンプレッションスプリング等の緩衝手段を使用している。この緩衝手段は、器具本体と蓋体とからなる筐体の構成には不必要なものである。このため、構造が複雑化し、コストアップを招来する。
また、筒体の先端の割溝からステーが筒体の内部に入り込むようになっているので、例えば開閉体がずれた結果、ステーが少しでも位置ずれした場合には、ステーが筒体の内部に入り込めず筒体の先端に当たってしまう。
【０００６】
本発明は、上記事情に鑑みて創案されたもので、構造の複雑化、コストアップ要因となる器具本体と蓋体とからなる筐体にはない特別な部品を使用することなく、しかも蓋体のずれに伴うアーム部材の位置ずれがあった場合にも確実に作動する照明器具用蓋体ストッパーを提供することを目的にしている。
【課題を解決するための手段】
【０００７】
本発明に係る照明器具用蓋体ストッパーは、光源等が格納された器具本体とこの器具本体にヒンジ結合される蓋体との間に設けられ、蓋体の開放状態を維持する照明器具用蓋体ストッパーにおいて、
器具本体に設けられるガイド部材と、蓋体に設けられる支持部材と、一端は前記支持部材に回動可能に軸支され、他端は前記ガイド部材に形成されたガイド溝内を摺動する摺動係合部が設けられたアーム部材とを備えており、
前記ガイド溝は、横軸が短い略Ｌ字形状に形成されており、前記蓋体が閉塞状態から開放状態へ至る間に摺動係合部が摺動する摺動溝部と、この摺動溝部から略直角方向に向かい、蓋体が開放状態になった際に嵌まり込むロック溝部とを有しており、
前記アーム部材は、蓋体が開放状態になる直前に器具本体に設けられたパッキンに接触し、このパッキンの弾性力によって摺動係合部が摺動溝部からロック溝部へと嵌まり込むようになっている。
【発明の効果】
【０００８】
本発明に係る照明器具用蓋体ストッパーは、筐体の器具本体に設けられ、閉じた状態の蓋体と接触するパッキンの弾性力を利用して、蓋体を開いた状態に固定すべく摺動嵌合部をガイド溝の摺動溝部からロック溝部へと嵌め込むので、従来のようなコンプレッションスプリング等の筐体にはもともと存在しない特別な部品、部材を使用する必要がない。
従って、従来のものから比較すると構造は単純化し、それに伴ってコスト低減にも寄与するものとなっている。
また、この照明器具用蓋体ストッパーであれば、従来のものとは違って、アーム部材が位置ずれを起こしていたとしても、パッキンに必ず接触するので、確実な動作が保証されている。
【図面の簡単な説明】
【０００９】
【図１】本発明の実施の形態に係る照明器具用蓋体ストッパーを用いた筐体の蓋体の閉塞状態を示す概略的説明図である。
【図２】本発明の実施の形態に係る照明器具用蓋体ストッパーを用いた筐体の蓋体が開く途中の状態を示す概略的説明図である。
【図３】本発明の実施の形態に係る照明器具用蓋体ストッパーを用いた筐体の蓋体が開放状態になる寸前の状態を示す概略的説明図である。
【図４】本発明の実施の形態に係る照明器具用蓋体ストッパーを用いた筐体の蓋体の開放状態を示す概略的説明図である。
【図５】本発明の実施の形態に係る照明器具用蓋体ストッパーを用いた筐体の蓋体が開放状態にある場合に無理な力を加えた際のアーム部材の変形を示す概略的説明図である。
【図６】本発明の他の実施の形態に係る照明器具用蓋体ストッパーを用いた筐体の蓋体の開放状態を示す概略的説明図である。
【図７】本発明の実施の形態に係る照明器具用蓋体ストッパーの図面であって、同図（Ａ）は概略的平面図、同図（Ｂ）が概略的正面図、同図（Ｃ）は概略的底面図、同図（Ｄ）は概略的背面図、同図（Ｅ）は概略的左側面図、同図（Ｆ）は概略的右側面図である。
【図８】本発明の実施の形態に係る照明器具用蓋体ストッパーを構成するガイド部材の図面であって、同図（Ａ）は概略的平面図、同部（Ｂ）は概略的正面図、同図（Ｃ）は概略的右側面図である。
【図９】本発明の実施の形態に係る照明器具用蓋体ストッパーを構成する支持部材の図面であって、同図（Ａ）は概略的平面図、同図（Ｂ）は概略的左側面図、同図（Ｃ）は概略的正面図である。
【図１０】本発明の実施の形態に係る照明器具用蓋体ストッパーを構成するアーム部材の図面であって、同図（Ａ）は概略的正面図、同図（Ｂ）は概略的底面図である。
【発明を実施するための形態】
【００１０】
本発明の実施の形態に係る照明器具用蓋体ストッパー１００は、底部の四辺からそれぞれ側面が立ち上げられて弁当箱の本体のように形作られた平面視長方形状の器具本体５１０と、この器具本体５１０を閉塞するガラス板からなる蓋体５２０とを有している。器具本体５１０と蓋体５２０とは、ヒンジ５３０によって旋回して開閉可能にヒンジ結合されており、閉じた状態で光源等が格納された器具本体５１０の内部を密閉することができるように、器具本体５１０の開口周縁部のフランジ部の内側にはシリコンゴム等からなるパッキン５４０が配置されている。
前記器具本体５１０には、光源の他に光源からの光を効率よく外部に導くための反射板が内蔵されている。このため、器具本体５１０の内部スペースは限られている。
なお、蓋体５２０と器具本体５１０とは、図示しない係止部材で閉塞状態を維持するようになっている。
このように構成された筐体は、器具本体５１０がトンネルの高い位置の周壁に接した状態で取り付けられる。
【００１１】
照明器具用蓋体ストッパー１００を構成するガイド部材１１０は、図７、図８に示すように、ほぼ正方形状のステンレス板の対向する２辺を直角に折曲形成することで構成されている。折曲された部分が壁部１１１であり、その間がベース部１１２となる。従って、壁部１１１は、ベース部１１２に連設されたことになる。
【００１２】
前記壁部１１１には、横軸が短い略Ｌ字形状になったガイド溝１１３が開設されている。ガイド溝１１３の大部分を占める摺動溝部１１３Ａ（Ｌ字の縦軸に相当する）は、壁部１１１に対して平行に形成されている。このガイド溝１１３は、後述する摺動係合部１５０がスムーズに摺動できる程度の幅寸法に設定されている。
また、この摺動溝部１１３Ａの一端であるロック溝部１１３Ｂ（Ｌ字の横軸に相当する）は、摺動溝部１１３Ａから壁部１１１の開放側に向かって直角方向に屈曲している。また、このロック溝部１１３Ｂは、少なくとも後述する摺動係合部１５０が完全に嵌まり込むことができる程度のサイズに設定されている。
【００１３】
前記ベース部１１２には、このガイド部材１１０を器具本体５１０に取り付けるためのボルト６１０が貫通する２つのベース部側貫通孔１１４が開設されている。このベース部側貫通孔１１４は、図７に示すように、２つの壁部１１１のガイド溝１１３のロック溝部１１３Ｂを結んだ直線上に開設される場合もあるし、図６に示すように、２つの壁部１１１のガイド溝１１３の摺動溝部１１３Ａの始端部（Ｌ字の縦軸の最上位置に相当する）を結んだ直線上に開設される場合もある。当然、その中間に形成される場合もある。
【００１４】
一方、蓋体５２０に取り付けられる支持部材１２０は、図７、図９に示すように、長方形状のステンレス板の短辺側の２辺を耳部１２１として直角に折曲して構成されている。前記耳部１２１には、後述するアーム部材１３０を支持するための開口１２３が開設されている。また、蓋体５２０に接触する部分である基板部１２２には、この支持部材１２０を蓋体５２０に取り付けるためのボルト６２０が貫通する２つの支持部材側貫通孔１２４が開設されている。
【００１５】
また、前記アーム部材１３０は、図１０に示すように、略円弧状に形成されており、円弧状部１３１の両端は略円形のランド部１３２Ａ、１３２Ｂとなっている。このランド部１３２Ａ、１３２Ｂの中心には、アーム貫通孔１３４Ａ、１３４Ｂがそれぞれ開設されている。
このアーム部材１３０は、一方のアーム貫通孔１３４Ｂと前記支持部材１２０の開口１２３とボルト・ナット１４０とを用いて支持部材１２０に回動自在に軸支される。
このアーム部材１３０は、１つの照明器具用蓋体ストッパー１００に２本用いられる。
【００１６】
また、このアーム部材１３０は、他方のアーム貫通孔１３４Ａとガイド部材１１０のガイド溝１１３とボルト・ナットからなる摺動係合部１５０とによって、ガイド溝１１３内を摺動できる状態で取り付けられる。なお、ガイド溝１１３に嵌まり込んでいるのは、ボルトの軸部分である。従って、前記ボルトの軸部分はガイド溝１１３の太さ寸法より若干小さく、ボルトの頭部はガイド溝１１３の太さ寸法より大きく設定されている。
なお、アーム部材１３０は凹状になった側が、器具本体５１０の側面の内面側を向くようにガイド部材１１０等に取り付けられる。
【００１７】
このように構成された照明器具用蓋体ストッパー１００のガイド部材１１０は、器具本体５１０の側面内側にボルト６１０とこれに螺合するナットを用いて固定され、支持部材１２０は蓋体５２０の内側面にボルト６２０とこれに螺合するナットを用いて固定される。
しかも、照明器具用蓋体ストッパー１００は、器具本体５１０と蓋体５２０とをヒンジ結合するヒンジ５３０と同じ位置に取り付けられる。
【００１８】
このようにして筐体に取り付けられた照明器具用蓋体ストッパー１００は、以下のように作動する。
図１に示すように、蓋体５２０は器具本体５１０の側面に対して直角の位置にあり、器具本体５１０を閉塞している。そして、蓋体５２０を構成するガラス板は、器具本体５１０の開口周縁部の内側にあるパッキン５４０に接触している。
この状態では、２本のアーム部材１３０の摺動係合部１５０は摺動溝部１１３Ａの始端部に位置している。
【００１９】
蓋体５２０と器具本体５１０との係止状態を解除し、蓋体５２０を開放方向へと移動させる。
すると、図２に示すように、蓋体５２０の動きに応じて、アーム部材１３０の摺動係合部１５０は摺動溝部１１３Ａをロック溝部１１３Ｂ側へと移動する。なお、この状態では、アーム部材１３０はパッキン５４０には接触していない。
【００２０】
蓋体５２０をさらに動かして図３に示す状態、すなわち蓋体５２０が開放状態の直前になると、摺動係合部１５０は、摺動溝部１１３Ａの終端部に位置する。この状態では、摺動係合部１５０は摺動溝部１１３Ａにあり、まだロック溝部１１３Ｂには嵌まり込んではいない。
【００２１】
そして、アーム部材１３０はパッキン５４０に接触する。すると、パッキン５４０の弾性力によって、図４に示すように、摺動係合部１５０がロック溝部１１３Ｂに嵌まり込む。この状態で蓋体５２０は完全に開放された状態になり、蓋体５２０から手を離しても閉じることはない。摺動係合部１５０がロック溝部１１３Ｂに嵌まり込んでロックされているためである。
なお、蓋体５２０がなんらかの原因でずれ、その結果、アーム部材１３０が位置ずれを起こしていても、アーム部材１３０は確実にパッキン５４０に接触するので、確実な動作が保証されている。
なお、この状態では、アーム部材１３０はパッキン５４０には接触していない。摺動係合部１５０がロック溝部１１３Ｂに嵌まり込むことで、アーム部材１３０がパッキン５４０から離れる方向へと移動するためである。
【００２２】
この状態を解除する、すなわち蓋体５２０を閉じるには、２本のアーム部材１３０を同時にパッキン５４０に近づく方向へと移動させる必要がある。２本のアーム部材１３０を指等でパッキン５４０の側へと押し上げ、２箇所ある摺動係合部１５０のロック溝部１１３Ｂに対する係合を同時に外すためである。
２本のアーム部材１３０がパッキン５４０の側へと押し上げられて、２つの摺動係合部１５０がロック溝部１１３Ｂからそれぞれ外れて摺動溝部１１３Ａに入ると、蓋体５２０を閉じる方向への移動させることができるようになる。
【００２３】
アーム部材１３０をパッキン５４０の側へと押し上げることなく、蓋体５２０に対して閉じる方向の力を無理に加えると、摺動係合部１５０がロック溝部１１３Ｂにより嵌まり込む方向へ力を加えるのと同じことになるため、蓋体５２０の開放状態が解除されることはない。特に、その力が過大であると、図５に示すように、アーム部材１３０がく字形状に折れ曲がる。蓋体５２０がガラス板である場合、過大な力により破損するおそれがあるが、ガラス板が破損する前にアーム部材１３０が変形するので、ガラス板の破損を未然に防止することができる。
【００２４】
また、開放状態にある蓋体５２０に対してさらに開方向への力を加えても、アーム部材１３０がパッキン５４０に圧接され、摺動係合部１５０がさらにロック溝部１１３Ｂへと押しつけられるため、摺動係合部１５０とロック溝部１１３Ｂとの係合は解除されることがない。従って、開放状態にある蓋体５２０に対して開方向への力を加えても、蓋体５２０が閉じることはない。
【００２５】
例えば、メンテナンスのために蓋体５２０が開放状態にある場合、作業者のヘルメット等が蓋体５２０に当たっても、アーム部材１３０がパッキン５４０に圧接されるため、不用意に蓋体５２０が閉じることがないので、メンテナンス時に蓋体５２０が作業者の意に反して閉じることがないので安全性が高い。
特に、上述した２本のアーム部材１３０を使用している照明器具用蓋体ストッパー１００であれば、２本のアーム部材１３０のうち、１本のアーム部材１３０の摺動係合部１５０がロック溝部１１３Ｂから外れても、残りの１本のアーム部材１３０が係合状態を維持していれば、蓋体５２０は不意に閉じることがないので安全性が高い。
【００２６】
開放状態にある蓋体５２０に対してさらに開く方向への力を無理に加えることで、アーム部材１３０がパッキン１３０に強く押しつけられることになり、アーム部材１３０が折れ曲がり、ガラス板の破損を未然に防止することができる。
【００２７】
さらに、この照明器具用蓋体ストッパー１００は、蓋体５２０の開閉時を含めて、アーム部材１３０がガイド部材１１０の大きさを超えることがないように設定されているので、光源や反射板等が内蔵されてスペースが限られた器具本体５１０の内部に格納することができる。
【００２８】
上述した照明器具用蓋体ストッパー１００は、１つで２つのアーム部材１３０が設けられているので、蓋体５２０の中央部に設けることで、開放状態にある蓋体５２０を安定的に２箇所で支えることができる。
ただし、より高い安定性を考慮するならば、照明器具用蓋体ストッパー１００は、１つの筐体に複数個設けることが望ましい。好適にはヒンジ５３０と同じ箇所に設けることが望ましいと思われる。
【００２９】
また、上述した実施の形態では、１つの照明器具用蓋体ストッパー１００に２つのアーム部材１３０を用いているが、アーム部材１３０は１つでもよいし、３つ以上でもよい。
【００３０】
さらに、この照明器具用蓋体ストッパー１００が設けられるのは、トンネル照明器具用筐体に限定されることはなく、器具本体に対してヒンジ結合されて旋回して開閉可能になった蓋体を有する照明器具であればどのようなものにでも適用することができることはいうまでもない。
【符号の説明】
【００３１】
１００    照明器具用蓋体ストッパー
１１０    ガイド部材
１１３    ガイド溝
１１３Ａ  摺動溝部
１１３Ｂ  ロック溝部
１２０    支持部材
１３０    アーム部材
１５０    摺動係合部
５１０    器具本体
５２０    蓋体
５４０    パッキン
【図１】
2013232296.tif 000003
【図２】
2013232296.tif 000004
【図３】
2013232296.tif 000005
【図４】
2013232296.tif 000006
【図５】
2013232296.tif 000007
【図６】
2013232296.tif 000008
【図７】
2013232296.tif 000009
【図８】
2013232296.tif 000010
【図９】
2013232296.tif 000011
【図１０】
2013232296.tif 000012